(57)【要約】【課題】室内機に設定されたアドレスを、必要に応じて任意に変更できる空調システムにおけるアドレス設定方法を提供することを目的とする。【解決手段】複数の室内機と、複数の室内機に共通で設けられ、各室内機に対して運転指示情報を送信可能な遠隔操作手段とを備える空調システムのアドレス設定方法であって、各室内機のアドレスを自動で設定し、各室内機に設定されたアドレスを遠隔操作手段に送信し、遠隔操作手段に送信された各アドレスと各室内機との対応付けを確認し、各室内機に設定されたアドレスにおいて変更を希望するアドレスがある場合に、遠隔操作手段からアドレスの変更指示、アドレス変更を希望する室内機のアドレス、および新たなアドレスを送信し、遠隔操作手段によりアドレス変更の指示を受けた室内機のアドレスを新たなアドレスに変更する空調システムのアドレス設定方法を提供する。【選択図】      図１
2009192149.tif 000002
【特許請求の範囲】
【請求項１】
複数の室内機と、複数の前記室内機に共通で設けられ、各前記室内機に対して運転指示情報を送信可能な遠隔操作手段とを備える空調システムのアドレス設定方法であって、
各前記室内機のアドレスを自動で設定する第１過程と、
各前記室内機に設定されたアドレスを前記遠隔操作手段に送信する第２過程と、
前記遠隔操作手段に送信された各前記アドレスと各前記室内機との対応付けを確認する第３過程と、
各前記室内機に設定されたアドレスにおいて変更を希望するアドレスがある場合に、前記遠隔操作手段からアドレスの変更指示、アドレス変更を希望する室内機のアドレス、および新たなアドレスを送信する第４過程と、
前記遠隔操作手段によりアドレス変更の指示を受けた前記室内機のアドレスを前記新たなアドレスに変更する第５過程と
を有する空調システムのアドレス設定方法。
【請求項２】
前記第３過程は、前記遠隔操作手段から、いずれかの前記室内機のアドレスと、その室内機に対する運転指示情報とを送信することにより行われる請求項１に記載の空調システムのアドレス設定方法。
【請求項３】
室内機と、該室内機に対して運転指示情報を送信可能な遠隔操作手段とを備える空調システムのアドレス設定方法であって、
前記室内機のアドレスを自動で設定する過程と、
前記室内機に設定されたアドレスを前記遠隔操作手段に送信する過程と、
前記遠隔操作手段からアドレス変更の指示および新たなアドレスを受信した場合に、前記室内機のアドレスを前記新たなアドレスに変更する過程と
を有する空調システムのアドレス設定方法。
【請求項４】
複数の室内機に共通して設けられ、各前記室内機に対して運転指示情報を送信可能な遠隔操作装置であって、
各前記室内機に自動で設定されたアドレスを受信した場合に、受信した前記アドレスを表示する表示手段と、
表示した前記アドレスのうち、いずれかのアドレスが指定されるとともに、該アドレスの変更指示、および新たなアドレスが入力された場合に、指定された前記アドレスの前記室内機に対して、前記アドレス変更指示および前記新たなアドレスを送信する送信手段と
を具備する遠隔操作装置。
【請求項５】
室外機と共通の冷媒回路を介して他の室内機と接続されるとともに、他の室内機と共通する遠隔操作装置からの信号に基づいて運転制御を行う室内機であって、
アドレスが自動設定された場合に、設定されたアドレスを前記遠隔操作装置に送信する送信部と、
前記遠隔操作装置からアドレスの変更指示および新たなアドレスを受信した場合に、現在設定されているアドレスを前記新たなアドレスに変更するアドレス変更部と
を具備する室内機。
【請求項６】
請求項４に記載の遠隔操作装置と、
請求項５に記載の複数の室内機と、
各前記室内機に接続され、冷媒を圧縮する圧縮機を備えた室外機と
を具備する空調システム。
【発明の詳細な説明】
【技術分野】
【０００１】
本発明は、室内機に設定されたアドレスを、必要に応じて任意に変更できる空調システムおよびそのアドレス設定方法に関するものである。
【背景技術】
【０００２】
従来、ビルまたは工場用空調システムにおいて、１台または複数台の室外機に複数台の室内機が接続される空調システムが知られている。各室内機には、室外機‐室内機間のデータ伝送の必要上、個別のアドレスが設定される。このアドレス設定は、通常、据付終了後に作業員によって行われる。
このアドレス設定の方法として、リモコンアドレス設定、自動アドレス設定、手動アドレス設定の３種類の方法がある。リモコンアドレス設定は、作業員がリモコンによって各室内機のアドレスを設定する。自動アドレス設定は、プログラム処理により自動で各室内機のアドレスが設定される。手動アドレス設定では、作業員が基板上のスイッチにより手動で各室内機のアドレスを設定する。
また、特許文献１には、複数の室内機間で通信を行ってアドレス設定順序を決めてから、リモコンにより各室内機のアドレスを設定するアドレス設定方法が開示されている。
【特許文献１】特開平１１−８３１３０号公報
【発明の開示】
【発明が解決しようとする課題】
【０００３】
しかしながら、上記リモコンアドレス設定においては、製品出荷後の初期状態においてアドレスが決定していないため、リモコンからアドレスを設定する対象を特定できず、室内機１台に対してリモコン１台の接続のときのみ設定可能という制約があった。また、自動アドレス設定においては、プログラム処理等により自動で各室内機のアドレスが設定されるため、アドレスを所望のアドレスに設定、変更することができなかった。手動アドレス設定においては、スイッチが室内機コントローラの基板上に配置されているため、天井裏等で作業を実施する必要があり、作業性に難点があった。
また、特許文献１に開示されているアドレス設定方法では、アドレスを設定するためには必ずリモコンからの操作が必要となり、作業員の作業負担が大きかった。更に、一旦アドレスを設定すると、ある特定のアドレスのみを任意に変更することができなかった。
【０００４】
本発明は、上述した事情に鑑みてなされたものであって、室内機に設定されたアドレスを必要に応じて任意に変更できる空調システムとそのアドレス設定方法を提供することを目的とする。
【課題を解決するための手段】
【０００５】
上記目的を達成するために、本発明は以下の手段を提供する。
本発明は、複数の室内機と、複数の前記室内機に共通で設けられ、各前記室内機に対して運転指示情報を送信可能な遠隔操作手段とを備える空調システムのアドレス設定方法であって、各前記室内機のアドレスを自動で設定する第１過程と、各前記室内機に設定されたアドレスを前記遠隔操作手段に送信する第２過程と、前記遠隔操作手段に送信された各前記アドレスと各前記室内機との対応付けを確認する第３過程と、各前記室内機に設定されたアドレスにおいて変更を希望するアドレスがある場合に、前記遠隔操作手段からアドレスの変更指示、アドレス変更を希望する室内機のアドレス、および新たなアドレスを送信する第４過程と、前記遠隔操作手段によりアドレス変更の指示を受けた前記室内機のアドレスを前記新たなアドレスに変更する第５過程とを有する空調システムのアドレス設定方法を提供する。
【０００６】
本発明によれば、室外機および室内機等の機器据付後、所定のアルゴリズムに従って、プログラム処理等により室内機のアドレスが自動で設定され、各室内機に設定されたアドレスが遠隔操作手段に送信される。これにより、ユーザに対して室内機に自動設定されたアドレスを通知することが可能となる。
次に、遠隔操作手段に送信された複数のアドレスのうち、いずれのアドレスがいずれの室内機と対応しているのかを特定するため、確認操作が行われる。これにより、遠隔操作手段に送信された各アドレスと各室内機との対応付けがユーザにより確認される。
設定されたアドレスにおいて変更を希望するアドレスがある場合には、ユーザにより遠隔操作手段に新たなアドレス等が入力され、遠隔操作手段からアドレスの変更指示、変更を希望する室内機のアドレス、および入力された新たなアドレスが送信される。アドレスの変更指示を受信した室内機は、現在設定されているアドレスを新たなアドレスに変更する。このようにして、自動設定されたアドレスを必要に応じて所望のアドレスに変更することができる。
【０００７】
上記発明において、前記第３過程は、前記遠隔操作手段から、いずれかの前記室内機のアドレスと、その室内機に対する運転指示情報とを送信することにより行われることとしてもよい。
このように、遠隔操作手段から室内機のアドレスとその運転指示情報とを送信するので、該運転指示情報を受信した該アドレスの室内機は運転を行うこととなる。この運転動作を確認することによって、ユーザは、指定されたアドレスが、複数ある室内機のうちのいずれの室内機に設定されているかを把握することができる。
【０００８】
また、本発明は、室内機と、該室内機に対して運転指示情報を送信可能な遠隔操作手段とを備える空調システムのアドレス設定方法であって、前記室内機のアドレスを自動で設定する過程と、前記室内機に設定されたアドレスを前記遠隔操作手段に送信する過程と、前記遠隔操作手段からアドレス変更の指示および新たなアドレスを受信した場合に、前記室内機のアドレスを前記新たなアドレスに変更する過程とを有する空調システムのアドレス設定方法を提供する。
【０００９】
本発明によれば、室外機および室内機等の機器据付後、プログラム処理等により室内機のアドレスが自動で設定され、設定されたアドレスが遠隔操作手段に送信される。これにより、ユーザに対して室内機に自動設定されたアドレスを通知することが可能となる。設定されたアドレスの変更を希望する場合には、ユーザにより遠隔操作手段に新たなアドレス等が入力され、遠隔操作手段からアドレスの変更指示、および入力された新たなアドレスが送信される。これにより、設定されたアドレスを必要に応じて任意のアドレスに変更することが可能となる。
【００１０】
また、本発明は、複数の室内機に共通して設けられ、各前記室内機に対して運転指示情報を送信可能な遠隔操作装置であって、各前記室内機に自動で設定されたアドレスを受信した場合に、受信した前記アドレスを表示する表示手段と、表示した前記アドレスのうち、いずれかのアドレスが指定されるとともに、該アドレスの変更指示、および新たなアドレスが入力された場合に、指定された前記アドレスの前記室内機に対して、前記アドレス変更指示および前記新たなアドレスを送信する送信手段とを具備する遠隔操作装置を提供する。
【００１１】
本発明によれば、各室内機に自動で設定されたアドレスを遠隔操作装置が受信し、受信したアドレスを表示手段により表示するので、室内機のアドレスをユーザに通知することが可能となる。また、ユーザにより、受信したアドレスのうち、いずれかのアドレスが指定されるとともに、アドレスの変更指示、新たなアドレスが入力された場合に、指定されたアドレスの室内機に対してアドレスの変更指示と新たなアドレスを送信するので、必要に応じて一旦設定されたアドレスを変更することができる。このように、アドレス変更作業を遠隔操作により行うことができるため、効率のよいアドレス変更作業を行うことができる。
【００１２】
また、本発明は、室外機と共通の冷媒回路を介して他の室内機と接続されるとともに、他の室内機と共通する遠隔操作装置からの信号に基づいて運転制御を行う室内機であって、アドレスが自動設定された場合に、設定されたアドレスを前記遠隔操作装置に送信する送信部と、前記遠隔操作装置からアドレスの変更指示および新たなアドレスを受信した場合に、現在設定されているアドレスを前記新たなアドレスに変更するアドレス変更部とを具備する室内機を提供する。
【００１３】
本発明によれば、各室内機にアドレスが自動設定された場合に、設定されたアドレスを遠隔操作装置に送信するので、室内機に設定されたアドレスを遠隔操作装置を介してユーザに通知することが可能となる。また、遠隔操作装置からアドレスの変更指示および新たなアドレスを受信した場合、現在設定されているアドレスを新たなアドレスに変更するので、必要に応じて一旦設定されたアドレスを変更することができる。このような構成によれば、アドレス変更作業を遠隔操作により行うことができるため、効率のよいアドレス変更作業を行うことができる。
【００１４】
また、本発明は、上記遠隔操作装置と、上記室内機とを備える空調システムを提供する。
【発明の効果】
【００１５】
本発明によれば、空調システムにおいて、室内機に設定されたアドレスを必要に応じて任意に変更できるという効果を奏する。
【発明を実施するための最良の形態】
【００１６】
以下に、本発明に係る空調システムおよびそのアドレス設定方法の一実施形態について、図面を参照して説明する。
図１は、本発明の一実施形態に係る空調システムの概略構成を示したブロック図である。
本実施形態に係る空調システム１は、図１に示すように、室外機２と、複数台の室内機３ａ〜３ｆと、複数のリモコン（遠隔操作手段）４ａ〜４ｃとを備えて構成されている。室外機２と室内機３ａ〜３ｆとは、共通する冷媒系統により接続されている。更に、室外機２と室内機３ａ〜３ｆとは、通信回線１０により接続されており、相互に通信を行うことが可能な構成となっている。リモコン４ａは、室内機３ａ〜３ｄに対応して共通に設けられ、リモコン４ｂ，４ｃは、室内機３ｅ，３ｆに対応してそれぞれ設けられている。リモコン４ａは通信回線２０ａを介して室内機３ａ〜３ｄに、リモコン４ｂ、４ｃは通信回線２０ｂ、２０ｃを介してそれぞれ室内機３ｅ、３ｆに接続されている。各リモコン４ａ〜４ｃは、それぞれ対応する室内機３ａ〜３ｆに対して運転指示情報等を送信可能な構成を備えている。
【００１７】
図２は、上記リモコン４ａ〜４ｃの概略構成を示したブロック図である。
リモコン４ａ〜４ｃは、通信部（送信手段）１１、入力部１２、表示部（表示手段）１３、制御部１４を備えている。
通信部１１は、対応する室内機３ａ〜３ｆとの間で互いに情報を送受信する。入力部１２は、ユーザによって入力されるアドレス設定に関する情報、操作モードの切替え等の種々の情報を制御部１４に通知する。表示部１３は、通信部１１で受信した室内機３ａ〜３ｆのアドレスや、室内機３ａ〜３ｆの運転に関する情報等を表示する。制御部１４は、通信部１１、入力部１２、表示部１３を制御する。
【００１８】
次に、上記構成を有する空調システム１のアドレス設定方法について、図３に示すフローチャートを用いて説明する。
まず、室外機２および室内機３ａ〜３ｆの設置および配線工事が終了した時点で、ユーザにより空調システム１の電源が投入される（Ｓ１）。室内機３ａ〜３ｆに電源が投入されると、プログラム処理により、室内機３ａ〜３ｆのアドレスが自動設定される（Ｓ２）。一旦室内機３ａ〜３ｆにアドレスが自動設定されると、設定されたアドレスがそれぞれ対応するリモコン４ａ〜４ｃに送信される。
【００１９】
自動設定されたアドレスが各リモコン４ａ〜４ｃの通信部１１において受信されると、リモコン４ａ〜４ｃの表示部１３にそれらのアドレスが表示される。具体的には、リモコン４ａの表示部１３には、室内機３ａ〜３ｄのアドレスが表示され、リモコン４ｂの表示部１３には、室内機３ｅのアドレスが、リモコン４ｃの表示部１３には、室内機３ｆのアドレスが表示される。ここで、リモコンと室内機とが一対一対応しているリモコン４ｂ，４ｃに関しては、表示部１３に表示されたアドレスが、いずれの室内機に対応するものか把握できるが、複数の室内機３ａ〜３ｄに対応しているリモコン４ａについては、この時点では、リモコン４ａで受信された室内機３ａ〜３ｄの４つのアドレスのうち、いずれのアドレスがいずれの室内機３ａ〜３ｄと対応しているのかを特定できない。このため、リモコン４ａに関しては、ユーザによるアドレスの確認が行われる（Ｓ３）。このアドレスの確認は、リモコン４ａに表示されているいずれかのアドレスと、そのアドレスに対応する室内機３ａ〜３ｄに対する運転指示情報とを送信することにより行われる。
【００２０】
例えば、リモコン４ａの表示部１３に表示されている４つのアドレスのうち、１つのアドレスがユーザにより入力部１２を介して指定され、更に、運転指示情報が入力されると、指定されたアドレスの室内機に対して、運転指示情報が送信される。運転指示情報を受信した室内機は、ファンモータを駆動し、運転を開始する。この運転動作、例えば、ファンの回転等を確認することで、ユーザは、リモコン４ａに表示されているのは運転動作が開始された室内機のアドレスであることを確認することができる。
上記の作業を、リモコン４ａに表示される全てのアドレスに対して行うことにより、それらアドレスとリモコン４ａに対応する室内機３ａ〜３ｄの対応付けが確認される。
なお、本実施形態においては、ファンの回転によりアドレスの確認が行われているが、これに代えて、ルーバ、パイロットランプ、警報ブザー等を用いてもよい。
【００２１】
アドレスの確認後、ユーザは、室内機３ａ〜３ｄに設定されたアドレスの変更を希望する場合、リモコン４ａの入力部１２を操作することにより、モード切替えを指示する。これにより、制御部１４によって、室内機３ａ〜３ｄへの運転を指示する運転指示モードから、アドレスを変更するためのアドレス変更モードへの切替えが行われる（Ｓ４）。続いて、ユーザにより入力部１２を介して、リモコン４ａにおいて変更を希望する室内機、例えば室内機３ａのアドレスが選択され（Ｓ５）、室内機３ａに設定する新たなアドレスが入力されると（Ｓ６）、入力された新たなアドレスが、リモコン４ａの通信部１１を介して室内機３ａに送信される。室内機３ａは、新たなアドレスを受信すると、現在設定されているアドレスを新たなアドレスに変更する。
なお、室外機が複数台設けられる場合、アドレス変更の際には新たなアドレスの他、室外機のアドレスも送信される。室外機のアドレスも送信することで、当該室内機が接続されていると認識している室外機のアドレス変更も可能となる。
【００２２】
続いて、ユーザは他に変更を希望するアドレスがある場合には（Ｓ７）、変更する室内機のアドレスの選択操作等を繰り返し行う。これにより、上記と同様の手順で、アドレスの変更が行われる。ユーザは、変更を希望する全てのアドレスの変更操作をし終えると、リモコン４ａの入力部１２を介して、アドレス変更作業の終了操作を行う（Ｓ８）。これにより、リモコン４ａにおいて、アドレス変更モードから運転指示モードへ切替えられ、アドレス設定作業が終了する（Ｓ９）。
上記と同様に、ユーザはリモコン４ｂ，４ｃにおいても室内機３ｅ，３ｆのアドレス変更を希望する場合には、上記操作を行うことにより、室内機３ｅ，３ｆのアドレス変更を行うことができる。
【００２３】
以上説明してきたように、本発明の一実施形態に係る空調システムおよびそのアドレス設定方法によれば、室内機の自動アドレス設定、およびリモコンでのアドレス変更作業により、室内機が据付けられている天井裏等でのアドレス設定作業は不要となるので、作業の効率性が向上する。また、自動で設定されたアドレスのうち、必要に応じて変更を希望するアドレスをリモコンにより変更することが可能なため、室内機の設置されている部屋毎の番号を先頭に持つアドレス等、集中管理に適したアドレスを設定することができる。
【００２４】
以上、本発明の実施形態について図面を参照して詳述してきたが、具体的な構成はこの実施形態に限られるものではなく、本発明の要旨を逸脱しない範囲の設計変更等も含まれる。
【００２５】
なお、上記実施形態では、室外機２に６台の室内機３ａ〜３ｆが接続される場合を想定したが、各室外機に接続可能とされる室内機の数は室外機が備える性能によって設定されるため、その範囲内であれば室内機の台数は限定されない。また、室外機が複数台設けられる構成であってもよい。
また、上記実施形態では、リモコンは室内機と有線により接続される場合を例に挙げて説明したが、無線により接続される構成であってもよい。
【図面の簡単な説明】
【００２６】
【図１】本発明の一実施形態に係る空調システムの概略構成を示したブロック図である。
【図２】本発明の一実施形態に係る遠隔操作手段の概略構成を示したブロック図である。
【図３】本発明の一実施形態に係るアドレス設定方法の処理手順を示したフローチャートである。
【符号の説明】
【００２７】
１  空調システム
２  室外機
３ａ，３ｂ，３ｃ，３ｄ，３ｅ，３ｆ  室内機
４ａ，４ｂ，４ｃ  リモコン（遠隔操作手段）
１０，２０ａ，２０ｂ，２０ｃ  通信回線
１１  通信部（送信手段）
１２  入力部
１３  表示部（表示手段）
１４  制御部
【図１】
2009192149.tif 000003
【図２】
2009192149.tif 000004
【図３】
2009192149.tif 000005